(57)【要約】【課題】室内機からの送信情報を確実にリモートコントローラへ届けるために、室内機において、風向板で信号を遮らない位置に送信部を配置する必要がある。【解決手段】本発明に係る空気調和機は、リモートコンローラ送信部から送信された、リモートコントローラへ気流を向けるように要求する気流要求信号を、室内機受信部が受信し、室内機送信部から送信される赤外線信号を遮らない位置に上下風向板を移動させた後、リモートコントローラの位置情報を要求する位置情報要求信号を、室内機送信部からリモートコントローラ受信部へ送信し、位置情報要求信号に応じてリモートコントローラ送信部から送信されたリモートコントローラの位置情報を、室内機受信部が受信し、リモートコントローラの位置情報に基づいて、リモートコントローラへ気流を向けるように上下風向板を制御する。【選択図】  図４
2012107837.tif 000002
【特許請求の範囲】
【請求項１】
リモートコントローラ送信部と、リモートコントローラ受信部と、を有すリモートコントローラと、
前記リモートコントローラ受信部へ赤外線信号を送信する室内機送信部と、前記リモートコントローラ送信部からの赤外線信号を受信する室内機受信部と、室内に吹出す気流を上下に偏向する上下風向板と、を有す室内機と、を備え、
前記リモートコンローラ送信部から送信された、前記リモートコントローラへ気流を向けるように要求する気流要求信号を、前記室内機受信部が受信し、
前記室内機送信部から送信される前記赤外線信号を遮らない位置に前記上下風向板を移動させた後、
前記リモートコントローラの位置情報を要求する位置情報要求信号を、前記室内機送信部から前記リモートコントローラ受信部へ送信し、
前記位置情報要求信号に応じて前記リモートコントローラ送信部から送信された前記リモートコントローラの位置情報を、前記室内機受信部が受信し、
前記リモートコントローラの位置情報に基づいて、前記リモートコントローラへ気流を向けるように前記上下風向板を制御することを特徴とする空気調和機。
【請求項２】
前記リモートコンローラ送信部から送信された前記気流要求信号を前記室内機受信部が受信したときに、
前記上下風向板が全閉の位置よりも全開の位置に近い場合は、前記上下風向板を全開の位置に移動させ、
前記上下風向板が全開の位置よりも全閉の位置に近い場合は、前記上下風向板を全閉の位置に移動させた後、
前記位置情報要求信号を前記室内機送信部から前記リモートコントローラ受信部へ送信することを特徴とする請求項１に記載の空気調和機。
【請求項３】
前記上下風向板を全開の位置へ移動させた後に、前記位置情報要求信号を前記室内機送信部から前記リモートコントローラ受信部へ送信することを特徴とする請求項１に記載の空気調和機。
【請求項４】
前記室内機は室内機表示部を有し、
前記上下風向板を移動させる前に、前記室内機表示部は、前記リモートコントローラの位置を検知中であることを知らせるリモコン位置検知中表示を開始し、
前記位置情報要求信号を前記室内機送信部から前記リモートコントローラ受信部へ送信した後、前記室内機表示部は前記リモコン位置検知中表示を終了することを特徴とする請求項１乃至請求項３の何れかに記載の空気調和機。
【請求項５】
前記リモートコントローラはリモートコントローラ表示部を有し、
前記上下風向板を移動させる前に、前記リモートコントローラ表示部は、前記リモートコントローラの位置を検知中であることを知らせるリモコン位置検知中表示を開始し、
前記位置情報要求信号を前記室内機送信部から前記リモートコントローラ受信部へ送信した後、前記リモートコントローラ表示部は前記リモコン位置検知中表示を終了することを特徴とする請求項１乃至請求項４の何れかに記載の空気調和機。
【発明の詳細な説明】
【技術分野】
【０００１】
本発明は、リモートコントローラの位置を検出する機能を備えた空気調和機に関する。
【背景技術】
【０００２】
従来から、空気調和機は、リモートコントローラの位置を検出して、左右風向，上下風向，室内ファン等を制御し、ユーザがリモートコントローラの位置に対応したエリアを空気調和する機能を採用している。
【０００３】
特許文献１は、定期的にリモートコントローラとエアコンとの間で赤外線送受信部を介して双方向通信を行い、リモートコントローラが指令送信から結果情報受信までの経過時間に基づいてエアコンまでの遠近方向の距離を算出することにより、室内におけるユーザの位置を横方向だけでなく縦方向において把握する空気調和機を開示している。
【先行技術文献】
【特許文献】
【０００４】
【特許文献１】特開２００８−３０９３７９号公報
【発明の概要】
【発明が解決しようとする課題】
【０００５】
しかしながら、特許文献１は、室内機からの送信情報を確実にリモートコントローラへ届けるために、室内機において、風向板で信号を遮らない位置に送信部を配置する必要がある。
【０００６】
本発明は、リモートコントローラの位置を特定してリモートコントローラの位置に対応したエリアを空気調和することを目的とする。
【課題を解決するための手段】
【０００７】
上記課題を解決するために本発明に係る空気調和機は、リモートコントローラ送信部と、リモートコントローラ受信部と、を有すリモートコントローラと、リモートコントローラ受信部へ信号を送信する室内機送信部と、リモートコントローラ送信部からの信号を受信する室内機受信部と、室内に吹出す気流を上下に偏向する上下風向板と、を有す室内機と、を備え、リモートコンローラ送信部からの信号を受信した後に、上下風向板の退避を開始し、室内機送信部からの位置検知信号を遮らない位置に上下風向板を退避させた後に、室内機送信部がリモートコントローラ受信部へ位置検知信号を送信し、位置検知信号に応じたリモートコントローラ送信部からの信号に基づいて、上下風向板を制御する。
【発明の効果】
【０００８】
本発明によれば、リモートコントローラの位置を特定してリモートコントローラの位置に対応したエリアを空気調和することができる。
【図面の簡単な説明】
【０００９】
【図１】空気調和機の外観図。
【図２】空気調和機の室内機の側断面図。
【図３】空気調和機が停止中で上下風向板を閉じた時の室内機の外観図。
【図４】空気調和機が運転中で上下風向板を開いた時の室内機の外観図。
【図５】リモコン及び室内機のシステム構成を示す図。
【図６】リモコン及び室内機のリモコン位置検出装置としてのシステム構成を示す図。
【図７】リモコン位置検出信号を示す図。
【図８】リモコン位置検出信号の有効範囲とリモコン位置検出信号に影響の有る範囲を示した図。
【図９】室内機のリモコン位置検出制御を示したフローチャート。
【図１０】室内機のリモコン位置検出制御を示したタイムチャート。
【発明を実施するための最良の形態】
【００１０】
以下に本発明の実施例を詳細に説明する。
【実施例１】
【００１１】
まず、本発明の実施形態に係る空気調和機の全体構成について、図１，図２，図３及び図４を用いて説明する。図１は本発明の実施形態に係る空気調和機で、運転を停止して風向板を閉じた時の外観図である。図２は空気調和機１の室内機２で、運転を開始して風向板を開いた時の側断面図である。図３は空気調和機１の室内機２で、運転を停止して風向板を閉じた時の外観図である。図４は空気調和機１の室内機２で、運転を開始して風向板を開いた時の外観図である。
【００１２】
図１に示す空気調和機は、室内機２と室外機３とを接続配管で繋いで構成され、室内を空気調和する。図２に示すように、室内機２には、熱交換器４が設けられ、熱交換器４の下流側に熱交換器４の幅と略等しい長さの横流ファン方式の室内送風ファン５が配置されている。熱交換器４及び室内送風ファン５は化粧枠４６で覆われ、化粧枠４６の前面にフロントパネル４１が取り付けられて構成されている。
【００１３】
また、この化粧枠４６には、室内空気を吸込む空気吸込み口４２と、温湿度が調整された空気を吹出す空気吹出し口４３とが上下に設けられている。熱交換器４の下流に設けられた室内送風ファン５が回転することで、室内空気は、室内機２に設けられた空気吸込み口４２から熱交換器４，室内送風ファン５を通って室内送風ファン５の長さに略等しい幅を持つ吹出し風路に流れ、吹出し風路の途中に配した左右風向板４４で気流の左右方向が偏向され、また、空気吹出し口に配した上下風向板４５で気流の上下方向が偏向されて室内に吹出される。
【００１４】
図３及び図４に示すように、室内機２には、別体のリモートコントローラ（以下「リモコン」という。）１からの赤外線の信号を受ける室内機受信部６４、及び、リモコン１へ赤外線の信号を送る室内機送信部６５が設けられている。空気調和機の停止中は、上下風向板４５が全閉位置６１に位置し、室内機送信部６５が隠れる。一方、図４に示すように、空気調和機の運転中は、上下風向板４５及びフロントパネル４１が開き、室内機送信部６５が現れる。また、ランプ表示部６６は、風向板が閉じた状態でも表示状態が見えるような構造としている。
【００１５】
図５はリモコン及び室内機のシステム構成を示す図である。図６はリモコン及び室内機のリモコン位置検出装置としてのシステム構成を示す図である。
【００１６】
図５を用いて、本発明に係る空気調和機の実施形態を説明する。リモコン１には、マイコン１１が搭載されており、キー入力部１２からリモコン１の位置を検出するユーザの要求等の情報を取り込む。リモコン１は、取り込んだ情報を編集し、取り込んだ情報を編集した結果をＬＣＤ出力部１３に表示するとともに、室内機２に向けて、リモコン送信部１４より気流要求信号を送信する。その後、室内機２よりリモコンの位置を検出するためのリモコン位置検出信号が送信される。リモコン１は、リモコン位置検出信号をリモコン受信部１５で受信し、再度リモコン位置検出信号を検出した結果であるリモコン位置検出結果信号をリモコン送信部１４より、室内機２に向けて送信する。
【００１７】
一方、室内機２にも、マイコン２１が搭載されており、リモコン１のリモコン送信部１４より送信された信号を室内機受信部６４で受信して、データの解析を行う。室内機２は、データの解析の結果、気流要求信号があった場合は、リモコン１の位置を検出中であることをユーザに認知させるため、ランプ出力部２５を点滅表示させる。また、室内機２は、室内機２からリモコン１へ送信するリモコン位置検出信号が上下風向板４５により遮られない位置まで、風向出力部２４により上下風向板４５を移動させる。左右風向板４４がリモコン位置検出信号を遮る場合は、風向出力部２４により左右風向板４４を移動させる。その後、室内機２は、室内機送信部６５より、リモコン位置検出信号をリモコン１へ送信する。そして、リモコン１がリモコン位置検出信号を受信した場合は、リモコン１からリモコン位置検出結果信号が送信される。室内機２は、リモコン位置検出結果信号を室内機受信部６４で受信し、リモコン１の位置を確定する。そして、室内機２は、風向出力部２４によりリモコン１の位置へ向けて左右風向板４４及び上下風向板４５を移動させて、送風することでリモコン１の位置に対応したエリアを空気調和する。
【００１８】
次に、図６を用いて、詳細に説明する。リモコン１は、気流要求キー入力手段３１，気流要求中表示手段３２，送信データ作成手段３３，受信データ解析手段４０、及び、双方向通信手段３４を備えている。
【００１９】
リモコン１は、気流要求キー入力手段３１によりリモコンの位置を検出するユーザの要求の情報を取り込み、気流要求中表示手段３２によりエリア空気調和が実行中であることをユーザに認知させる。そして、リモコン１は、送信データ作成手段３３により気流要求信号に基づく送信データを作成し、双方向通信手段３４により室内機２へ気流要求信号を出力する。その後、リモコン１は、双方向通信手段３４で室内機２から送られてくるリモコン位置検出信号を受信して、リモコン位置検出信号を受信データ解析手段４０で解析する。リモコン１は、双方向通信手段３４により、解析したリモコン位置検出の結果を室内機２へ送信する。
【００２０】
一方、室内機２は、室内機受信部６４及び室内機送信部６５からなる双方向通信手段３５，受信データ解析手段３６，リモコン位置検出実行中表示手段３７，風向出力制御手段３８、及び、送信データ作成手段３９を備えている。リモコン位置検出実行中表示手段３７は、受信したデータ中に気流要求が有った場合に、リモコン位置検出制御実行中であることをユーザに認知させる手段である。
【００２１】
双方向通信手段３５でリモコン１からの信号を受信して、受信データ解析手段３６で受信したデータを解析する。室内機２は、気流要求信号を受信した場合は、風向出力制御手段３８により、リモコン位置検出信号が上下風向板４５により遮られない位置まで上下風向板４５を回避するために、上下風向板４５を移動させる。その後、室内機２は送信データ作成手段３９により作成したリモコン位置検出信号を送信する。図７に示すように、右方リモコン位置検出信号８１，中央リモコン位置検出信号８２、及び、左方リモコン位置検出信号８３をそれぞれリモコン１へ送信する。図７は、リモコン位置検出信号を示す図である。図７に示すように室内機に対して右方の位置にリモコン１がある場合、リモコン１は右方リモコン位置検出信号８１をリモコン受信部１５で受信し、右方リモコン位置検出信号８１を検出した結果をリモコン送信部１４より、室内機２に向けて送信する。そして、受信データ解析手段３６によりリモコン１よりリモコン位置検出結果信号を受信してリモコン１の位置を特定し、風向出力制御手段３８により左右風向板４４及び上下風向板４５を移動させて、室内機２から送風を行う。
【００２２】
次に、図８を用いて、室内機２における上下風向板４５の位置とリモコン送信部１４との関係を説明する。図８は、リモコン位置検出信号の有効範囲とリモコン位置検出信号に影響の有る範囲を示す図である。
【００２３】
上下風向板の全閉位置６１は、運転停止により上下風向板４５が閉じている状態である。これに対して、上下風向板の全開位置６２は、上下風向板４５を全開に付き当てて一番開いた状態である。室内機２は、運転開始時に上下風向板４５の位置決めを行うために、一端、上下風向板４５を上下風向板の全開位置６２に移動してから、運転モードに応じて適切な風向位置に遷移させる。リモコン位置検出信号の有効範囲８は室内機送信部６５からのリモコン位置検出信号が通る範囲であり、リモコン位置検出信号の有効範囲８内に上下風向板４５を位置する場合、リモコン位置検出信号を遮ることとなる。
【００２４】
また、送受信影響範囲７はリモコン位置検出結果信号をリモコン受信部６４が受信できる範囲である。室内機２は、上下風向板４５がリモコン位置検出信号に影響を与えないために、上下風向板４５を全開位置６２に移動させてから、リモコン位置検出信号をリモコン１に対して送信する必要がある。
【００２５】
次に、室内機２がリモコン１の信号を受信し、リモコン１の位置を検出して、リモコン１の位置に対応したエリアを空気調和する室内機のリモコン位置検出制御を行う処理手順を図９のフローチャートを用いて説明する。
【００２６】
まず、ステップＳ１において、リモコン１から信号を受信しているかを確認する。受信している場合は、ステップＳ２に進む。ステップＳ１において受信していない場合は、受信するまで待つ。ステップＳ２において、受信データ解析手段３６により受信データの解析を行う。その結果、ステップＳ３において、リモコン位置検検出要求信号がある場合は、ステップＳ４に進み、リモコン位置検出実行中表示手段３７によりランプ点滅を開始する。
【００２７】
そして、ステップＳ５で、風向出力制御手段３８により風向板退避動作を開始して、ステップＳ６により風向板退避動作が完了するまで待ち、風向板退避動作が完了したら、ステップＳ７に進む。ステップＳ７により、双方向通信手段３５によりリモコン位置検出信号をリモコン１に対して送信する。リモコン１がリモコン位置検出信号の結果に基づき、リモコン位置情報であるリモコン位置検出結果信号を返信するので、ステップＳ８でリモコン位置検出結果信号を受信して、ステップＳ９でリモコン位置検出実行中表示手段３７によるランプ点滅を終了させ、ステップＳ１０でリモコン１の位置を確定する。
【００２８】
そして、ステップＳ１１でリモコン１の位置へ向けて、風向出力制御手段３８により上下風向板４５の移動を開始させ、ステップＳ１２でリモコン１の位置に対応したエリアを空気調和するよう風向板移動動作が完了するまで待ち、移動が完了したら、ステップＳ１６に進み、空気調和の制御を行う。
【００２９】
一方、ステップＳ３において、気流要求信号が無かった場合は、ステップＳ１３に進み、風向板位置設定の変更が有れば、ステップＳ１４に進む。ステップＳ１４でユーザが設定した位置へ風向板の移動を開始し、ステップＳ１５でユーザが設定した位置まで風向板が移動したら、ステップＳ１６へ進み、空気調和の制御を行う。
【００３０】
ステップＳ１３において、風向板位置設定に変更が無かった場合は、ステップＳ１６へ進み、空気調和の制御を行う。
【００３１】
次に、リモコン１の位置検出の動作を図１０のタイムチャートを参照して説明する。
【００３２】
まず、リモコン１のマイコン１１は、リモコン位置検出信号をリモコン送信部１４から室内機２に送信する（時点ｔｊ）。室内機２に備えた室内機受信部６４がリモコン１からの気流要求信号を受信した際（時点ｔｊとほぼ同時刻の時点ｔｊ′）、室内機２のマイコン２１は、受信した気流要求信号に応じて内部処理を行い、リモコン１の位置を検出中であることをユーザに認知させるため、ランプ出力部２５を点滅表示させる。また、室内機２は、室内機２からリモコン１へ送信するリモコン位置検出信号が上下風向板４５により遮られない位置まで、風向出力部２４により上下風向板４５を移動させる。その後、室内機送信部６５から、リモコン位置検出信号を送信する（時点ｔｋ）。この所定の送信コードの赤外線信号は、時点ｔｋとほぼ同時刻の時点ｔｋ′でリモコン受信部１５で受信される。
【００３３】
続いて、室内機２のマイコン２１は、中央室内機送信部２７から中央リモコン位置検出信号８２を放射強度「強」の位置判別信号ｅ，「中」の位置判別信号ｆ，「弱」の位置判別信号ｇ，「微弱」の位置判別信号ｈを順に送信する（時点ｔｍ）。続いて、室内機のマイコン２１は、左方室内機送信部２８から左方リモコン位置検出信号８３（ｅ，ｆ，ｇ，ｈ）を順に送信する（時点ｔｎ）。続いて、室内機のマイコン２１は、右方室内機送信部２６から右方リモコン位置検出信号８１（ｅ，ｆ，ｇ，ｈ）を順に送信する（時点ｔｐ）。
【００３４】
また、リモコン位置検出信号には、中央リモコン位置検出信号８２，左方リモコン位置検出信号８３，右方リモコン位置検出信号８１のどれかが判る方向情報と、どの放射強度かが識別できるように「強」，「中」，「弱」，「微弱」の放射強度情報とを付加している。
【００３５】
これに対して、リモコン１のマイコン２１は、時点ｔｍのほぼ同時刻の時点ｔｍ′、時点ｔｎのほぼ同時刻の時点ｔｎ′、時点ｔｐのほぼ同時刻の時点ｔｐ′でリモコン位置検出信号を受信する。図１０において、時点ｔｍ′ではリモコン位置検出信号ｅ，ｆを受信し、時点ｔｎ′ではリモコン位置検出信号ｅ，ｆ，ｇを受信し、時点ｔｐ′ではリモコン位置検出信号ｅを受信している。
【００３６】
続いてリモコン１のマイコン１１は、時点ｔｐ′にて全てのリモコン位置検出信号の受信が完了した際、これら受信したリモコン位置検出信号の受信結果をリモコン位置検出結果信号としてリモコン送信部１４を介して室内機２に向け送信する（時点ｔｒ）。
【００３７】
室内機２に備えた室内機受信部６４を介してリモコン位置検出結果信号を受信した際（時点ｔｒとほぼ同時刻の時点ｔｒ′）、室内機２のマイコン２１は、受信したリモコン位置検出結果信号から「中エリアの強〜微弱」，「左エリアの強〜微弱」，「右エリアの強〜微弱」のうち、どの位置判別信号を受信したのかを判別し、リモコン１までの距離と方向とを検出する。
【００３８】
図１０に示す例において、リモコン１のリモコン受信部１５は、中央室内機送信部２７からの中央リモコン位置検出信号８２のうち「強」と「中」を受信し、左方室内機送信部２８からの左方リモコン位置検出信号８３のうち「強」と「中」と「弱」を受信し、右方室内機送信部２６からの右方リモコン位置検出信号８１のうち「強」を受信している。
【００３９】
その結果、リモコン１のマイコン１１は、これら受信したリモコン位置検出信号の受信結果をリモコン位置検出結果信号としてリモコン送信部１４から室内機２に向け送信する（時点ｔｒ）。
【００４０】
室内機２に備えた室内機受信部６４でリモコン位置検出結果信号を受信した際、室内機２のマイコン２１は、受信したリモコン位置検出結果信号に基づいて演算処理を行う。図１０に示す例においては、３つのリモコン位置検出結果信号の中で、左方室内機送信部２８からの左方リモコン位置検出信号８３を最も弱い放射強度まで受信しているので、リモコン１の方向は「左エリア」とし、距離は「弱」まで受信できているので「近」とし、リモコン１の位置が「左エリアの近」と判別し、リモコン１までの距離が「近」であり、方向が「左エリア」であるとして、リモコン１の位置を検出する。
【００４１】
本実施形態によれば、室内機２とリモコン１とを双方向で通信する空気調和機１において、赤外線送受信システムを用いることで、簡易かつ安価にリモコン位置を検出することができる。
【００４２】
また、室内機受信部６４を複数設け、各室内受信部の受信結果からリモコン１の方向を検出してもよい。
【００４３】
また、本実施形態では、放射強度の情報をビット情報としてリモコン位置検出信号に付加したが、他の実施形態として、ＡからＸまでの区間のパルスを用意し、Ａ−Ｂの区間のパルスを放射強度「強」とし、Ｃ−Ｄの区間のパルスを放射強度「中」とし、Ｅ−Ｆの区間のパルスを放射強度「弱」とし、Ｇ−Ｈの区間のパルスを放射強度「微弱」として中エリアに送信し、同様にＩからＰまでの各区間で放射強度を変えたパルスを左エリアに送信し、同様にＱからＸまでの各区間で放射強度を変えたパルスを右エリアに送信する。そして、エリア毎に、どのパルスまで受信可能であったかをカウント（計数）することにより、エリア（中，左，右）ごとの放射強度を検出する、というようにすることもできる。
【００４４】
また、上記実施例では、室内機２は、上下風向板４５がリモコン位置検出信号に影響を与えないために、上下風向板４５を上下風向板の全開位置６２に移動させてから、リモコン位置検出信号をリモコン１に対して送信しているが、上下風向板４５がリモコン位置検出信号を遮らない位置へ移動させても良い。
【００４５】
また、上記実施例では、上下風向板の全閉位置６１はリモコン位置検出信号を遮る位置であるが、上下風向板の全閉位置６１がリモコン位置検出信号を遮らない位置となるよう設計し、上下風向板４５を上下風向板の全開位置６２又は上下風向板の全閉位置６１に移動させても良い。上下風向板の全開位置６２及び上下風向板の全閉位置６１のうち上下風向板４５の位置から近いほうに、上下風向板４５を移動させることで、上下風向板４５の移動に要する時間を短縮することができる。
【００４６】
また、上記実施例では、気流要求キー入力手段によってリモコン１の位置に対応したエリアの空気調和を行う場合について記載したが、リモコン１の位置を避けるエリアを空気調和を行っても良い。
【００４７】
上下風向板の全閉位置６１はリモコン位置検出信号を遮る位置であるが、上下風向板の全閉位置６１がリモコン位置検出信号を遮らない位置となるよう設計し、上下風向板４５を上下風向板の全開位置６２又は上下風向板の全閉位置６１に移動させても良い。上下風向板の全開位置６２及び上下風向板の全閉位置６１のうち上下風向板４５の位置から近いほうに、上下風向板４５を移動させることで、上下風向板４５の移動に要する時間を短縮することができる。
【００４８】
以上、リモコン１の位置を特定して、リモコン１の位置に対応したエリアの空気調和を行う際に、上下風向板４５が送受信に影響の有る範囲内に有る場合は、遮らない位置に回避してから、リモコン１の位置を特定するための信号を送信する。室内機送信部６５からのリモコン位置検出信号を遮らないことにより、リモコン１の位置を特定することができる。
【００４９】
実現するために、本発明に係る空気調和機は、本発明に係る空気調和機は、リモートコントローラ送信部と、リモートコントローラ受信部と、を有すリモートコントローラと、リモートコントローラ受信部へ赤外線信号を送信する室内機送信部と、リモートコントローラ送信部からの赤外線信号を受信する室内機受信部と、室内に吹出す気流を上下に偏向する上下風向板と、を有す室内機と、を備え、リモートコンローラ送信部から送信された、リモートコントローラへ気流を向けるように要求する気流要求信号を、室内機受信部が受信し、室内機送信部から送信される赤外線信号を遮らない位置に上下風向板を移動させた後、リモートコントローラの位置情報を要求する位置情報要求信号を、室内機送信部からリモートコントローラ受信部へ送信し、位置情報要求信号に応じてリモートコントローラ送信部から送信されたリモートコントローラの位置情報を、室内機受信部が受信し、リモートコントローラの位置情報に基づいて、リモートコントローラへ気流を向けるように上下風向板を制御する。双方向通信手段３５の位置を制限されることがないため、デザイン性を損ねることなく、快適な部分空気調和の実現が可能な空気調和機を提供することができる。
【００５０】
また、リモートコンローラ送信部から送信された気流要求信号を室内機受信部が受信したときに、上下風向板が全閉の位置よりも全開の位置に近い場合は、上下風向板を全開の位置に移動させ、上下風向板が全開の位置よりも全閉の位置に近い場合は、上下風向板を全閉の位置に移動させた後、位置情報要求信号を室内機送信部からリモートコントローラ受信部へ送信する。よって、上下風向板の移動時間を短縮することができる。
【００５１】
また、上下風向板を全開の位置へ移動させた後に、位置情報要求信号を室内機送信部からリモートコントローラ受信部へ送信する。上下風向板を全閉の位置に移動させる場合よりも、上下風向板を全開の位置に移動させた場合のほうが平均の移動時間が短い。そのため、単純な制御で、且つ、上下風向板の移動に必要な時間が全閉の位置に移動させる場合に比べて上下風向板を全開の位置に移動させたほうが平均の移動時間が短い。
【００５２】
また、室内機は室内機表示部を有し、上下風向板を移動させる前に、室内機表示部は、リモートコントローラの位置を検知中であることを知らせるリモコン位置検知中表示を開始し、位置情報要求信号を室内機送信部からリモートコントローラ受信部へ送信した後、室内機表示部はリモコン位置検知中表示を終了する。双方向通信の光軸がずれないように、リモコンの位置を検出していることをユーザに認知させる。
【００５３】
また、リモートコントローラはリモートコントローラ表示部を有し、上下風向板を移動させる前に、リモートコントローラ表示部は、リモートコントローラの位置を検知中であることを知らせるリモコン位置検知中表示を開始し、位置情報要求信号を室内機送信部からリモートコントローラ受信部へ送信した後、リモートコントローラ表示部はリモコン位置検知中表示を終了する。双方向通信の光軸がずれないように、リモコンの位置を検出していることをユーザに認知させる。
【符号の説明】
【００５４】
１  リモコン
２  室内機
３  室外機
４  熱交換器
５  室内送風ファン
７  送受信に影響の有る範囲
８  リモコン位置検出信号の有効範囲
１１，２１  マイコン
１２  キー入力部
１３  ＬＣＤ出力部
１４  リモコン送信部
１５  リモコン受信部
２４  風向出力部
２５  ランプ出力部
２６  右方室内機送信部
２７  中央室内機送信部
２８  左方室内機送信部
３１  気流要求キー入力手段
３２  気流要求中表示手段
３３，３９  送信データ作成手段
３４，３５  双方向通信手段
３６，４０  受信データ解析手段
３７  リモコン位置検出実行中表示手段
３８  風向出力制御手段
４１  フロントパネル
４２  空気吸込み口
４３  空気吹出し口
４４  左右風向板
４５  上下風向板
４６  化粧枠
６１  上下風向板の全閉位置
６２  上下風向板の全開位置
６４  室内機受信部
６５  室内機送信部
６６  ランプ表示部
８１  右方リモコン位置検出信号
８２  中央リモコン位置検出信号
８３  左方リモコン位置検出信号
【図１】
2012107837.tif 000003
【図２】
2012107837.tif 000004
【図３】
2012107837.tif 000005
【図４】
2012107837.tif 000006
【図５】
2012107837.tif 000007
【図６】
2012107837.tif 000008
【図７】
2012107837.tif 000009
【図８】
2012107837.tif 000010
【図９】
2012107837.tif 000011
【図１０】
2012107837.tif 000012